(57)【要約】【課題】特に床の高低差に合わせて取り付けることができる段差に対応可能な目皿を提供する。【解決手段】目皿の底部が床との間に隙間を生じないために、環状の位置決めリングと、内端が該位置決めリングに接着されると共に、外端が放射状に外側へ延出する複数の止まりリブとを備える網状カバーと、該複数の止まりリブの外端に接着される固定リングと、環状に配列するように接続され、底部に固定リングを嵌め込ませる凹部が形成されると共に、外側部に縦方向の貫通孔が形成されるように、該貫通孔に上下移動自在に杭が挿設される複数のクリップ部材を備える環状支持ベースと、を有する段差に対応可能な目皿を提供する。【選択図】図１
2016020631.tif 000002
【特許請求の範囲】
【請求項１】
環状の位置決めリングと、内端が該位置決めリングに接着されると共に、外端が放射状に外側へ延出する複数の止まりリブとを備える網状カバーと、
前記複数の止まりリブの外端に接着される固定リングと、
環状に配列するように接続され、底部に固定リングを嵌め込ませる凹部が形成されると共に、外側部に縦方向の貫通孔が形成されるように、該貫通孔に上下移動自在に杭が挿設される複数のクリップ部材を備える環状支持ベースと、を有することを特徴とする段差に対応可能な目皿。
【請求項２】
前記杭における、上端に貫通孔の内径より大きい水平状のヘッドが設けられ、下端にボールが取り付けられることを特徴とする請求項１に記載の段差に対応可能な目皿。
【請求項３】
前記網状カバーはさらに、少なくとも１つの保持リングを備え、該保持リングは、位置決めリングを中心として同心円上に外側へ行くにつれて直径が拡大するように配列されると共に、止まりリブの外端近傍に接着されることを特徴とする請求項２に記載の段差に対応可能な目皿。
【請求項４】
前記位置決めリングにおける、中心に開口が形成され、表面に反射シートが貼り付けられ、
前記杭が長釘や短釘などの棒状のものであり、
前記ボールがキャップまたはカバーであることを特徴とする請求項３に記載の段差に対応可能な目皿。
【請求項５】
上端に設けられる上部リングと、下端に設けられる下部リングと、該上部リング及び下部リングの間に放射状に設けられる複数の止まりリブと、該下部リングに間隔をおいて環状に配列するように設けられると共に、それぞれの外側部に縦方向の貫通孔が形成される複数のチューブとを備える網状カバーと、
前記チューブの貫通孔に上下移動自在に挿設される杭とを有する段差に対応可能な目皿。
【請求項６】
前記網状カバーの上部リングにカップが取り付けられ、該網状カバーを安定に放置するために、該カップの内部におもりを備えることを特徴とする請求項５に記載の段差に対応可能な目皿。
【請求項７】
前記網状カバーの上部リングに蓋が取り付けられ、該蓋の中心に開口が形成され、
前記下部リングの内周面に複数の支持脚が設けられ、これらの支持脚の長さが下部リングの長さより長くすることを特徴とする請求項６に記載の段差に対応可能な目皿。
【請求項８】
前記上部リングの内周面の下端に当接フランジが延設され、
前記カップの上縁部に掛けフランジが延設され、該掛けフランジが当接フランジに掛合され、
また、前記カップの内部に貯まっている水を排出するために、上部リングの内周面に複数の溢れ口が間隔をおいて形成されることを特徴とする請求項７に記載の段差に対応可能な目皿。
【請求項９】
前記上部リングの溢れ口内に横方向の係合リブが設けられ、
前記蓋の内周面にそれぞれ係合リブと係合する複数の係合フックが下方へ延設されることを特徴とする請求項８に記載の段差に対応可能な目皿。
【請求項１０】
前記杭における、上端にヘッドが設けられ、下端に足が設けられ、該足の近傍に貫通孔の内径より大径の凸縁が環状に延設され、
前記蓋の内周面に複数の押し柱が下方へ延設され、これらの押し柱がカップの掛けフランジに当接されることを特徴とする請求項９に記載の段差に対応可能な目皿。
【発明の詳細な説明】
【技術分野】
【０００１】
本発明は、特に床の高低差に合わせて取り付けることができる段差に対応可能な目皿に関するものである。
【背景技術】
【０００２】
昔の町に下水道排水設備が設置されていないので、大雨が降る時、よく浸水などの災害に襲われる。この問題を解決するために、政府の政策に基づいて、下水道排水設備工事を行って、町での排水にやすくなされ、住民に住みやすい環境を提供する。
【０００３】
下水道排水設備がある現在は、昔より排水がやすくなるが、大雨や豪雨などの時、ゴミや、ビニール袋、落葉、石などが排水口に詰って水の流れが悪くなり、浸水などの災害が発生する虞もある。所定の期間において排水口を掃除して、排水口のつまりを解決することができるが、突然の大雨や連続の豪雨が降ったら、まだ排水口のつまりで浸水などの問題が起こる。この問題に対して、ゴミなどのものを排水口に詰まらないように、排水口にわれフタや目皿を取り付け、排水口のつまりを防止する。
【０００４】
図８に示すように、既存の目皿９０は、環状の固定リング９２を備え、該固定リング９２の上面に縦格子のフェンス状の柵部９１が延設され、該柵部９１に複数の排水スリットが形成され、該固定リング９２の底部に連結座９３が設けられる。目皿９０を取り付ける時、連結座９３を排水口に対応するように取り付け、大雨や豪雨の場合に、ゴミや落葉などが柵部９１に止まれ、水が柵部９１の排水スリットを通って下水道に流れることができる。
【発明の概要】
【発明が解決しようとする課題】
【０００５】
しかしながら、既存の目皿は、排水口の寸法に対応するように作られ、全体的な体積が小さいと共に、排水スリットも狭いことから、大面積の落葉や紙が排水スリットに止まれたら、排水に悪影響を与え、また、既存の目皿の底部に固定リングを備えるが、床が平坦ではない場合に、固定リングと床の間に隙間を生じ、ゴミや、落葉、枝などのものがその隙間を通って排水口に流れ、排水口のつまりが起こり、浸水などの災害を起す虞があり、改良する必要があった。
【課題を解決するための手段】
【０００６】
本発明に係る段差に対応可能な目皿は、環状の位置決めリングと、内端が該位置決めリングに接着されると共に、外端が放射状に外側へ延出する複数の止まりリブとを備える網状カバーと、
前記複数の止まりリブの外端に接着される固定リングと、
環状に配列するように接続され、底部に固定リングを嵌め込ませる凹部が形成されると共に、外側部に縦方向の貫通孔が形成されるように、該貫通孔に上下移動自在に杭が挿設される複数のクリップ部材を備える環状支持ベースと、を有するものである。
【０００７】
かかる段差に対応可能な目皿において、前記杭における、上端に貫通孔の内径より大きい水平状のヘッドが設けられ、下端にボールが取り付けられることが好ましい。
【０００８】
かかる段差に対応可能な目皿において、前記網状カバーはさらに、少なくとも１つの保持リングを備え、該保持リングは、位置決めリングを中心として同心円上に外側へ行くにつれて直径が拡大するように配列されると共に、止まりリブの外端近傍に接着されることが好ましい。
【０００９】
かかる段差に対応可能な目皿において、前記位置決めリングにおける、中心に開口が形成され、表面に反射シートが貼り付けられ、
前記杭が長釘や短釘などの棒状のものであり、
前記ボールがキャップまたはカバーであることが好ましい。
【００１０】
一方、本発明に係る段差に対応可能な目皿は、上端に設けられる上部リングと、下端に設けられる下部リングと、該上部リング及び下部リングの間に放射状に設けられる複数の止まりリブと、該下部リングに間隔をおいて環状に配列するように設けられると共に、それぞれの外側部に縦方向の貫通孔が形成される複数のチューブとを備える網状カバーと、
前記チューブの貫通孔に上下移動自在に挿設される杭とを有する異なるタイプを有してもよい。
【００１１】
かかる段差に対応可能な目皿において、前記網状カバーの上部リングにカップが取り付けられ、該網状カバーを安定に放置するために、該カップの内部におもりを備えることが好ましい。
【００１２】
かかる段差に対応可能な目皿において、前記網状カバーの上部リングに蓋が取り付けられ、該蓋の中心に開口が形成され、
前記下部リングの内周面に複数の支持脚が設けられ、これらの支持脚の長さが下部リングの長さより長くすることが好ましい。
【００１３】
かかる段差に対応可能な目皿において、前記上部リングの内周面の下端に当接フランジが延設され、
前記カップの上縁部に掛けフランジが延設され、該掛けフランジが当接フランジに掛合され、
また、前記カップの内部に貯まっている水を排出するために、上部リングの内周面に複数の溢れ口が間隔をおいて形成されることが好ましい。
【００１４】
かかる段差に対応可能な目皿において、前記上部リングの溢れ口内に横方向の係合リブが設けられ、
前記蓋の内周面にそれぞれ係合リブと係合する複数の係合フックが下方へ延設されることが好ましい。
【００１５】
かかる段差に対応可能な目皿において、前記杭における、上端にヘッドが設けられ、下端に足が設けられ、該足の近傍に貫通孔の内径より大径の凸縁が環状に延設され、
前記蓋の内周面に複数の押し柱が下方へ延設され、これらの押し柱がカップの掛けフランジに当接されることが好ましい。
【発明の効果】
【００１６】
本発明に係る段差に対応可能な目皿は、底部と床との間に隙間を生じないように、環状支持ベースの周囲に複数の上下移動自在な杭が設置され、それらの杭により、底部と床の間に縦格子のフェンスを構成する。それによれば、目皿が床にピッタリと取り付けられ、床に貯まった水を杭の間を通って排水口に流れ、ゴミや、落葉、枝などのものが杭に止まれることができる。なお、床の高い箇所に応じるために上方へ移動した杭どうしは、網状カバーの周囲に止まりリブと共に二重のフェンスを構成し、ゴミや、落葉、枝などを止まる効果を高める。
【図面の簡単な説明】
【００１７】
【図１】本発明に係る段差に対応可能な目皿の第一実施例の斜視図である。
【図２】本発明に係る段差に対応可能な目皿の第一実施例の部分拡大分解視斜視図である。
【図３】本発明に係る段差に対応可能な目皿の第一実施例の部分拡大正面図である。
【図４】本発明に係る段差に対応可能な目皿の第二実施例の解斜視図である。
【図５】本発明に係る段差に対応可能な目皿の第二実施例の分解斜視図である。
【図６】本発明に係る段差に対応可能な目皿の第二実施例の部分断面図である。
【図７】本発明に係る段差に対応可能な目皿の第二実施例において、使用状態を示す正面図である。
【図８】従来の目皿の斜視図である。
【発明を実施するための形態】
【００１８】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００１９】
図１乃至図３に示すように、本発明に係る段差に対応可能な目皿における第一実施例は、網状カバー１０と、環状支持ベース２０と、固定リング３０とを有する。その内、該網状カバー１０は、環状の位置決めリング１１を備え、該位置決めリング１１の中心に開口１２が形成され、使用する時、指で開口１２に引っ掛けて網状カバー１０を取り上げられ、該位置決めリング１１の外周縁に複数の止まりリブ１３が放射状に設けられ、これらの止まりリブ１３に該位置決めリング１１と同心円に配置する少なくとも１つの固定リングが取り付けられる。
【００２０】
本実施例の保持リングは、第一保持リング１４及び第二保持リング１５を備え、該第一保持リング１４及び第二保持リング１５は、開口１２を中心として同心円上に外側へ行くにつれて直径が拡大するように配列される。その複数の止まりリブ１３はそれぞれ、内端が位置決めリング１１に接着されると共に、放射状に外側へ延出するように、外端近傍が第一保持リング１４及び第二保持リング１５に接着される。さらに、前記網状カバー１０の位置決めリング１１の表面に反射シートが貼り付けられ、この反射シートにより夜間や悪い天候にも光源の反射性を備え、歩行者に注意喚起するように、目皿を避けて歩くことができる。
【００２１】
図２に示すように、前記固定リング３０は、それらの止まりリブ１３の外端に接着され、上面３１及び側面３２を備える。
前記環状支持ベース２０は、複数のクリップ部材２１を備え、これらのクリップ部材２１は、環状に配列するように横方向に接続される。該各クリップ部材２１は、底部に固定リング３０を嵌め込ませる凹部２２が形成され、外側部に縦方向の貫通孔２３が形成され、該貫通孔２３に上下移動自在に杭４０が挿設される。それらのクリップ部材２１の貫通孔２３に挿設した杭４０は、環状に配列されて縦格子のフェンスを構成する。
【００２２】
また、前記環状支持ベース２０は、射出成形手段によって、一体形成にしてもよく、金型に熱可塑性樹脂を射出注入することによって、一体成形の複数のクリップ部材２１が作られる共に、各クリップ部材２１に凹部２２及び貫通孔２３が形成される。この方法によって、環状支持ベース２０の製造が簡単である。
【００２３】
前記杭４０は、直径が貫通孔２３の内径より小さいことから、上下移動自在に貫通孔２３に貫設され、上端に貫通孔２３の内径より大きい水平状のヘッド４１が設けられ、下端にボール４２が取り付けられる。該杭４０は、長釘や短釘などの棒状のものにしてもよい。該ボール４２は、球形のキャップまたはカバーにしてもよい。
【００２４】
図３に示すように、本発明に係る段差に対応可能な目皿を使用する時、目皿を排水口に対応するように床に取り付け、雨が降る時、水が網状カバー１０の隣り合う２本の止まりリブ１３、１３’の間を通って排水口に流れ、ゴミや、落葉、枝などのものには該止まりリブ１３、１３’に止まれる。
一方、床が平坦ではない場合には、本発明に係る段差に対応可能な目皿において、固定リング３０が床との間に隙間を生じないように、環状支持ベース２０の貫通孔２３に貫設した杭４０が床の形に応じて上下移動自在に調整しながら下端のボール４２が床と接触し、固定リング３０と床の間に縦格子のフェンスを構成する。これによれば、段差に対応可能な目皿が床にピッタリと取り付けられ、床に貯まった水を隣り合う２本の杭４０の間を通って排水口に流れ、ゴミや、落葉、枝などのものが杭４０に止まれることができる。
【００２５】
また、体積が小さい物、例えば、毛、小石、ゴムバンドなどが目皿を通って排水口に詰まる虞もあり、この時、使用者が指で開口１２に引っ掛けて目皿を取り上げて、それらのものを取り除ければ、簡単に掃除できる。
【００２６】
本発明に係る段差に対応可能な目皿における第二実施例は、図４及び図５に示すように、網状カバー５０と、複数の杭６０と、カップ７０と、蓋８０とを有する。その内、該網状カバー５０は、上端に上部リング５１が設けられ、下端に下部リング５２が設けられ、該上部リング５１及び下部リング５２の間に複数の止まりリブ５３が放射状に設けられ、隣り合う２本の止まりリブ５３の間にそれぞれ第一排水スリット５３１が形成される。
【００２７】
本実施例における網状カバー５０はさらに、上部リング５１の内周面の下端に当接フランジ５１１が中心に向かって延設され、上部リング５１の内周面に複数の溢れ口５１２が間隔をおいて形成され、該上部リング５１の溢れ口５１２内に横方向の係合リブ５１３が設けられる。
前記カップ７０は、網状カバー５０に取り付けられ、使用する時、網状カバー５０を安定に放置するために、該カップ７０の内部にコンクリートまたは鉛で作られたおもりを備える。また、該カップ７０は、上縁部に掛けフランジ７１が延設され、該掛けフランジ７１が網状カバー５０の当接フランジ５１１に掛合される。なお、カップ７０の内部に水が貯まったら、網状カバー５０の溢れ口５１２を介して水を排出することができる。
【００２８】
また、前記網状カバー５０の下部リング５２の外周面に複数のチューブ５４が間隔をおいて環状に配列するように設けられ、隣り合う２つのチューブ５４の間に第二排水スリット５４１が形成され、該各チューブ５４の外側部に縦方向の貫通孔５４２が形成される。本実施例におけるチューブ５４は、弾力性を備える材質からなり、貫通孔５４２に上下移動自在に杭６０が挿設され、これらの杭６０が環状に配列されて縦格子のフェンスを構成する。
尚、本実施例における下部リング５２の内周面に複数の支持脚５２１が設けられ、且つ、これらの支持脚５２１の縦方向の長さが下部リング５２の縦方向の長さより長くし、即ち、支持脚５２１が下部リング５２から下方へ突出するように設けられ、これらの支持脚５２１により床に接触すれば、おもりとするカップ７０を上部リング５１に取り付けても、下部リング５２の底部が床に接触しないように、網状カバー５０を支えることができ、目皿の底部において排水効果に悪影響を防止する。
【００２９】
図５及び図６に示すように、前記杭６０は、上端に貫通孔５４２の内径より大径の球状のヘッド６１が設けられ、下端に円錐形の足６２が設けられ、該足６２の近傍に貫通孔５４２の内径よりやや大径の凸縁６３が環状に延設される。この構造を有すれば、杭６０を移動自在にチューブ５４の貫通孔５４２に貫設してもチューブ５４から脱落することはない。
【００３０】
前記蓋８０は、網状カバー５０の上部リング５１に取り付けられ、椀状を呈し、中心に開口８１が形成され、使用者の指で開口８１に引っ掛けて網状カバー５０を取り上げられ、内周面における下縁部の近傍に複数の係合フック８２が下方へ延設され、これらの係合フック８２が上部リング５１の係合リブ５１３に係合され、蓋８０をしっかりと網状カバー５０に取り付けると共に、カップ７０を網状カバー５０から脱出しないように安定に装着させる。
【００３１】
また、前記蓋８０は、内周面に複数の押し柱８３が下方へ延設され、これらの押し柱８３がカップ７０の掛けフランジ７１に当接され、カップ７０を位置決めて網状カバー５０に安定に装着させる。さらに、該蓋８０の表面に反射シートが貼り付けられ、この反射シートにより夜間や悪い天候にも光源の反射性を備え、歩行者に注意喚起して目皿を避けて歩くことができる。
【００３２】
図７に示すように、本発明に係る段差に対応可能な目皿における第二実施例を使用する時、目皿を排水口に対応するように床に取り付け、雨が降る時、雨水が網状カバー５０の隣り合う２本の止まりリブ５３の間の第一排水スリット５３１を通って排水口に流れ、ゴミや、落葉、枝などのものには止まりリブ５３に止まれる。
【００３３】
一方、床が平坦ではない場合には、目皿の網状カバー５０の底部が床との間に隙間を生じないように、チューブ５４の貫通孔５４２に貫設した杭６０が床の形に応じて上下移動自在に調整しながら下端の足６２が床と接触し、下部リング５２と床の間に縦格子のフェンスを構成する。これによれば、段差に対応可能な目皿が床にピッタリと取り付けられ、床に貯まった水を隣り合う２本の杭６０の間及び第二排水スリット５４１を通って排水口に流れ、ゴミや、落葉、枝などのものが杭６０に止まれることができる。なお、段差に対応可能な目皿において、杭６０が床の高い箇所に応じて上方へ移動したら、それらの杭６０が網状カバー５０の止まりリブ５３と共に二重のフェンスを構成する。
【００３４】
さらに、床が平坦であれば、杭６０の足６２が床に接触してチューブ５４が床に接近するようになり、この時、支持脚５２１が床に接触することによって、網状カバー５０を支えて床と所定の距離を維持し、排水口の流れが悪くなることを防止する。また、体積が小さい物、例えば、毛、小石、ゴムバンドなどが目皿を通って排水口に詰まる虞もあり、この時、使用者が指で蓋８０の開口８１に引っ掛けて目皿を取り上げ、それらのものを取り除ければ、簡単に掃除できる。
【符号の説明】
【００３５】
１０        網状カバー
１１        位置決めリング
１２        開口
１３、１３’止まりリブ
１４        第一保持リング
１５        第二保持リング
２０        環状支持ベース
２１        クリップ部材
２２        凹部
２３        貫通孔
３０        固定リング
３１        上面
３２        側面
４０        杭
４１        ヘッド
４２        ボール
５０        網状カバー
５１        上部リング
５１１      当接フランジ
５１２      溢れ口
５１３      係合リブ
５２        下部リング
５２１      支持脚
５３        止まりリブ
５３１      第一排水スリット
５４        チューブ
５４１      第二排水スリット
５４２      貫通孔
６０        杭
６１        ヘッド
６２        足
７０        カップ
７１        掛けフランジ
８０        蓋
８１        開口
８２        係合フック
８３        押し柱
【図１】
2016020631.tif 000003
【図２】
2016020631.tif 000004
【図３】
2016020631.tif 000005
【図４】
2016020631.tif 000006
【図５】
2016020631.tif 000007
【図６】
2016020631.tif 000008
【図７】
2016020631.tif 000009
【図８】
2016020631.tif 000010